(57)【要約】      （修正有）【課題】レストランなどで利用するオーダリング端末機で、注文後、その場で決済方法を選択して安心・安全に決済を行う。【解決手段】オーダリング端末機へＲＦＩＤリーダライタあるいはＲＦＩＤタグを内蔵し、利用客が、タッチパネルを利用してクレジットカード決済や電子マネーカードによる決済方法を選択した後、利用客のＲＦＩＤリーダライタあるいはＲＦＩＤタグ付きＵＩＭ内蔵移動体通信端末機とＲＦＩＤ通信を行う。クレジットカードで利用者による利用履歴がない場合は、前記移動体通信端末機側に個人情報データを入力の後、自動的に暗号化された個人情報データを管理者サーバへ送信して決済が行われる。電子マネー決済の場合は、利用客のＲＦＩＤタグ付き電子マネーカード専用のＲＦＩＤ通信により決済が行われる。いずれの場合も、タッチパネルにより料理等の注文と、複数の決済種類の選択が操作が簡単なワンクリック決済で行えるようにする。【選択図】図−８
2012048694.tif 000002
【特許請求の範囲】
【請求項１】
タッチパネルを備える表示画面に表示されたメニューを指でタッチすると当該メニューの料理等が注文されるオーダリング端末機において、
前記オーダリング端末機へＲＦＩＤリーダライタあるいはＲＦＩＤタグを内蔵し表示部の表示面に、注文日付，テーブル番号，料理等の名称，その数量，価格などの注文データを管理者サーバで処理されたデータを画面に表示する手段と、
注文金額に応じて利用客が、タッチパネルで決済種類（クレジットカード決済、ＲＦＩＤタグ付き電子マネーカード決済、ＲＦＩＤタグ付きポイントカード決済など、）の選択操作キーを画面に表示する手段と、
利用客が、クレジットカード決済を選択操作した場合、利用客が所持するＲＦＩＤリーダライタあるいはＲＦＩＤタグ内蔵移動体通信端末機を、表示部の表示面にタッチ要求画面の表示手段と、
利用客が前記要求に従い、ＲＦＩＤリーダライタあるいはＲＦＩＤタグ内蔵移動体通信端末機をタッチすると、前記オーダリング端末機が、前記移動体通信端末機のＩＤおよび前記オーダリング端末機のＩＤと、時間と、通信回数と、位置情報（測位衛星による位置情報検出、あるいはデジタル機器用の近距離無線通信を利用しての位置情報検出など）などの使用された時のデータと、前記オーダリング端末機と前期移動体通信端末機のＲＦＩＤリーダライタもしくはＲＦＩＤタグのＩＤの取得手段と、
取得データを暗号化して前記移動体通信端末機を介して管理者サーバへの送信手段と、
利用履歴を管理者サーバへ照会し結果を表示する手段と、
管理者サーバから前記移動体通信端末機および前記オーダリング端末機へ前記送信データに基づいたユニークなＵＲＬなどが送信される手段と、
利用履歴がない場合、利用客は、前記移動体通信端末機が受信したＵＲＬを開き所定の指示に従い、登録画面などへ、利用するクレジットカードなどの必要データ、個人データ、決済パスワード生成時に必要なログインパスワードを入力後、管理者サーバへ暗号化して送信する手段と、
管理者サーバが前記登録画面に入力したデータを記憶する手段と、
管理者サーバが受信したデータを復号化し、クレジットカード決済に必要なデータのみを抽出しクレジットカード決済管理者へ利用客の与信要求を送信する手段と、
前記オーダリング端末機が、与信審査に基づき、又、前記利用履歴がある場合、決済パスワード入力要求の画面が表示される手段と、
利用客が、前記移動体通信端末機を操作して前記登録のログインパスワードを入力して生成された前記決済パスワードを、前記オーダリング端末機の入力画面の要求に従い入力後送信、受信した管理者サーバが照合して照合結果によりクレジットカード決済が完了した旨の通知を表示する手段と、
与信審査が却下された場合は、前記パスワード入力要求画面が表示されず、「他のクレジットカードをご利用ください」と他のクレジットカードにて決済することを促す表示する手段と、
利用客が、前記オーダリング端末機のタッチパネルで決済種類の、ＲＦＩＤタグ付き電子マネーカード、ＲＦＩＤタグ付きデビッドカードなど決済を選択操作した場合、利用客が所持する前記カードおよび電子マネー決済可能な前記移動体通信端末機を、表示部の表示面にタッチ要求画面の表示手段と、
利用客が前記ＲＦＩＤタグ付き電子マネーカードなどをタッチすると、前記オーダリング端末機の表示部の表示面に残高を表示する手段と、
前記残高が注文金額を上回る場合、前記電子マネーカード決済が完了した旨の画面が表示する手段と、
前記電子マネーカードおよび電子マネー決済可能な前記移動体通信端末機に、クレジットカードあるいはデビットカードからチャージする手段と、
前記選択手段で利用客に希望する決済種類を選択させ、選択された決済種類で、個人の重要データをＲＦＩＤリーダライタあるいはＲＦＩＤタグ内蔵移動体通信端末機側で記憶し、前記オーダリング端末機側には、個人の重要データを保持しないことを特徴とするタッチパネルを用いたＲＦＩＤリーダライタあるいはＲＦＩＤタグを内蔵オーダリング端末機。
【請求項２】
前記決済パスワードは、利用客が前記登録のログインパスワード認証後に、前記移動体通信端末機に備えられたＵＩＭ、又は管理者サーバで生成したワンタイムパスワードを利用し、前記移動体通信端末機に表示することによる前記決済パスワード利用を特徴とする請求項１記載のタッチパネルを用いたＲＦＩＤリーダライタあるいはＲＦＩＤタグを内蔵したオーダリング端末機。
【請求項３】
前記オーダリング端末機は、テーブル番号，料理等の名称，その数量，価格などの注文データの取得に限らず、係員が前記オーダリング端末機へ直接、所定決済金額を入力して、利用客が、複数の決済種類を選択しての決済できることを特徴とする請求項１および２記載のタッチパネルを用いたＲＦＩＤリーダライタあるいはＲＦＩＤタグを内蔵したオーダリング端末機。
【請求項４】
クレジットカード決済時、前記オーダリング端末機および前記移動体通信端末機の表示部に表示される画面は、各端末機のタッチによるＲＦＩＤ通信より取得したデータを基に管理者サーバで生成されたユニーク画面（登録氏名などの記載画面）であることを特徴とする請求項１および２、３記載のタッチパネルを用いたＲＦＩＤリーダライタあるいはＲＦＩＤタグを内蔵したオーダリング端末機。
【発明の詳細な説明】
【発明の詳細な説明】
【技術分野】
【０００１】本発明は、オーダリング端末機と移動体通信端末機にＲＦＩＤリーダライタあるいはＲＦＩＤタグを備え、ＲＦＩＤ通信を経由して、選択された取引方法により決済処理を行う前記オーダリング端末機に関するものである。
【背景技術】
【０００２】ネットワークを経由しての決済が日常的に行なわれている。例えば、クレジットカードによる支払いがそれである。クレジットカードを保持する利用客は、クレジットカードを用いて、例えば、レストラン等で、利用客所有するクレジットカードで決済を行なう。
ところで、多くの人は数枚のクレジットカードおよび電子マネーカードを所有する。クレジットカードおよび電子マネーカードはその性質上持ち歩かれることが多いため、大抵の人は数枚のクレジットカードを持ち歩くことを強いられている。数枚のクレジットカードおよび電子マネーカードを持つことによって生じる上述の疎ましさは、現在のところ、受け入れざるを得ないと考えられている。【０００３】又、レストラン等でレジへ出向かず係員へクレジットカード支払いを依頼すると、係員へクレジットカードを渡し、係員はレジに出向き所定のクレジットカード決済手続きをおこない署名を求め利用客テーブルまで引き返すなど、無駄な人件費が発生する。又、クレジットカードを渡した利用客は、クレジットカードのスキミングや連続利用などの不正利用、与信に用いるデータを、ネットワークを介して送信することは、このデータの盗難の危険性を孕むものであり、データを無防備に送信することは、安全性低下の懸念が生じることを避けられない。【０００４】
【特許文献１】特許公開２００８−３１０４５７
【特許文献２】特許公開２００９−１６３３６８号
【特許文献３】特許公開２０１０−６１３１８号
【特許文献４】特許公開２０１０−９７５１２号
【発明の開示】
【発明が解決しようとする課題】
【０００５】前記従来例によれば、特許文献１では、決済メディアが保有している複数の決済種類をすべて読み出し、利用客が決済種類を選択できるようにする決済方法を提供するとあり、決済メディアはオーダリング端末機ではない、又、前記選択方法で利用客に希望する決済種類を選択させ、選択された決済種類で、個人の重要データをＲＦＩＤタグ内蔵移動体通信端末機側で記憶し、前記オーダリング端末機側には、個人の重要データを保持しないことなど記載がない。又、オーダリング端末機利用の決済手段に関してではない。【０００６】特許文献２では、トークンを用いないで管理者サーバ側でＯＴＰ（ワンタイムパスワード）を生成する方法を用いＯＴＰ認証を行う技術であるが、各端末機のタッチによるＲＦＩＤ通信より取得したデータを基にしたワンタイムパスワード生成ではない。又、オーダリング端末機利用の決済手段に関してではない。【０００７】特許文献３は、利用客が利用する端末機でＲＦＩＤタグ内蔵移動体通信端末機ではない、又、前記端末機のＵＩＭ（Ｕｓｅｒ  Ｉｄｅｎｔｉｔｙ  Ｍｏｄｕｌｅ）でＯＴＰを生成することを明確化したオーダリング端末機利用の決済手段に関してではない。【０００８】特許文献４は、携帯電話のＵＩＭカードでＯＴＰ（ＯＴＰ：  Ｏｎｅ  Ｔｉｍｅ  Ｐａｓｓｗｏｒｄ）を生成するが、クレジットアプリを携帯電話にダウンロードする方法で、オーダリング端末機利用の決済手段に関してではない。【０００９】本発明の目的は、前記オーダリング端末機の利用客において、登録者は簡単で安全なワンクリック決済を可能とする。電子マネーカード決済はスムースに決済をおこなうなど利用客の決済選択を持つオーダリング端末機。レストラン等の管理者も利用客の不正使用を防止して、オーダリング端末機の盗難に配慮したオーダリング端末機を提供することにある。
【課題を解決するための手段】
【００１０】タッチパネルを表面に備える液晶、ＥＬ（Ｅｌｅｃｔｒｏ  Ｌｕｍｉｎｅｓｃｅｎｃｅ）、電子ペーパなどの電子的に表示を変える表示画面に表示されたメニューを指でタッチすると当該メニューの料理等が注文されるオーダリング端末機において、
前記オーダリング端末機にＲＦＩＤリーダライタあるいはＲＦＩＤタグを内蔵して、表示部の表示面に、注文日付，テーブル番号，料理等の名称，その数量，価格などの注文データを管理者サーバで在庫などの確認と所定の処理がされ、そのデータを前記オーダリング端末機の画面に表示する。
注文金額に応じて利用客が、タッチパネルで決済種類（クレジットカード決済、ＲＦＩＤタグ付き電子マネーカード決済、ＲＦＩＤタグ付きポイントカード決済など）の選択をおこない、タッチパネルを指で操作してキー（ボタン）を押し画面へ選択決済を表示する。【００１１】利用客が、クレジットカード決済選択キー（ボタン）を操作した場合、利用客が所持するＲＦＩＤタグ内蔵移動体通信端末機を、表示部の表示面にタッチ要求画面に表示して利用客履歴を確認するための要求をだす。【００１２】利用客が前記要求に従い、ＲＦＩＤタグ内蔵移動体通信端末機をタッチ（かざす）すると、前記オーダリング端末機が、前記移動体通信端末機のＵＩＤ（Ｕｓｅｒ  Ｉｄｅｎｔｉｆｉｅｒ）および前記オーダリング端末機のＩＤと、タッチした時間と、ＲＦＩＤ通信回数と、前記オーダリング端末機の使用場所の詳細な位置情報（測位衛星により位置情報検出、デジタル機器用の近距離無線通信を利用しての位置情報検出など）などのタッチされた時のデータと、前記オーダリング端末機と前期移動体通信端末機のＲＦＩＤリーダライタもしくはＲＦＩＤタグのＵＩＤ（Ｕｓｅｒ  Ｉｄｅｎｔｉｆｉｅｒ）の取得をおこない、取得データを暗号化して前記移動体通信端末機を介して管理者サーバへ送信して記憶する。【００１３】利用履歴を管理者サーバへ照会し利用履歴有無の結果を前記オーダリング端末機の表示部へ表示すると同時に、管理者サーバから前記移動体通信端末機および前記オーダリング端末機へ記憶データに基づいたユニークなＵＲＬを生成して送信される。【００１４】利用履歴がない場合、利用客は、前記移動体通信端末機が受信したＵＲＬを開き所定の指示に従い、登録画面などへ、▲１▼利用するクレジットカードなどの必要データ、▲２▼個人データ、▲３▼決済パスワード生成時必要なログインパスワードを入力後、管理者サーバへ暗号化して送信する。
管理者サーバは、利用客が前記移動体通信端末機を使用し入力したデータを受信し複合化して記憶後、クレジットカード決済に必要なデータのみを抽出しクレジットカード決済システムへ利用客の与信要求を送信する。【００１５】前記オーダリング端末機が、与信審査パスに基づき、又、前記利用履歴がある場合、決済パスワードの入力要求の画面が表示される。
利用客が、前記移動体通信端末機を操作して登録のログインパスワードを入力して生成された前記決済パスワードを、前記オーダリング端末機の入力画面の要求に従い入力後、決済パスワードを送信する、受信した管理者サーバは、照合して照合結果によりクレジットカード決済が完了した旨の通知を前記オーダリング端末機に送信し、前記オーダリング端末機は決済完了の旨の通知が表示される。【００１６】与信審査が却下された場合は、前記パスワード入力要求画面が表示されず、「他のクレジットカードをご利用ください」と他のクレジットカードにて決済することを促す通知が表示される。【００１７】また、利用客が、前記オーダリング端末機のタッチパネルで決済種類の、ＲＦＩＤタグ付き電子マネーカード、ＲＦＩＤタグ付きデビッドカードなどの選択をおこない、タッチパネルを指で操作してキー（ボタン）を押し決済種類を選択した場合、利用客が所持する前記電子マネーカードおよび電子マネー決済可能な前記移動体通信端末機を、表示部の表示面にタッチ（かざす）要求画面が表示される。
利用客が前記電子マネーカードおよび電子マネー決済可能な前記移動体通信端末機などをタッチすると、前記オーダリング端末機の表示部の表示面に電子マネーの残高が表示され、決済を選択すると、前記残高が注文金額を上回る場合、前記電子マネー決済が完了した旨の通知が表示され、前記電子マネーカード利用での決済が完了する。
前記電子マネーの残高が不足した場合、「電子マネーをチャージしてください」などのチャージを促す表示を行う。【００１８】前記電子マネーカードおよび電子マネー決済可能な前記移動体通信端末機などの電子マネーに、クレジットカード決済あるいはデビットカード決済によってチャージを行う機能を具備するオーダリング端末機である。【００１９】前記選択手段で利用客に希望する決済種類を選択させ、選択された決済種類で、個人の重要データをＲＦＩＤタグ内蔵移動体通信端末機側で記憶し、前記オーダリング端末機側には、個人の重要データを保持しないことを特徴とするタッチパネルを用いたＲＦＩＤリーダライタあるいはＲＦＩＤタグ内蔵のオーダリング端末機である。【００２０】前記決済パスワードの生成は、利用客が前記登録のログインパスワードを基に、前記移動体通信端末機に備えられたＵＩＭ（Ｕｓｅｒ  Ｉｄｅｎｔｉｔｙ  Ｍｏｄｕｌｅ）、又、管理者サーバで生成したＯＴＰ（ＯＴＰ：  Ｏｎｅ  Ｔｉｍｅ  Ｐａｓｓｗｏｒｄ）であり、利用客が他者から決済パスワードを見られても一回毎異なるパスワードが生成され安心して使用することができる。
又、利用客が前記移動体通信端末機を紛失しても、利用客個人が記憶する前記登録のログインパスワードが判らなければＯＴＰが生成できないので安全である。【００２１】前記オーダリング端末機は、テーブル番号，料理等の名称，その数量，価格などの注文データを基にした係員を介さない決済であるが、係員を介して対面で決済する場合、前記オーダリング端末機へ直接、所定決済金額を入力して、利用客が、複数の決済種類を選択しての決済も可能である。この場合でも登録済みであればクレジットカードレスでワンクリック決済および電子マネーカード決済およびポイントカード決済も可能である。【００２２】クレジットカード決済時、前記オーダリング端末機および前記移動体通信端末機の表示部に表示される画面は、各端末機のタッチによるＲＦＩＤ通信より取得したデータを基に管理者サーバで生成されたユニークな画面（登録氏名などの記載画面）で、
前記移動体通信端末機および前記オーダリング端末機と管理者サーバ間のアプリケーションにおけるユーザ認証後のユーザなりすまし対策は、Ｃｏｏｋｉｅ情報が正規ユーザ以外に盗聴されて情報が漏洩、改竄されないように、前記オーダリング端末機内のＣｏｏｋｉｅ情報をＡＥＳ等で暗号化を行い、
前記移動体通信端末機および前記オーダリング端末機と管理者サーバ間の通信内容を盗聴、漏洩、改竄防止するために、通信データをＳＳＬ（Ｓｅｃｕｒｅ  Ｓｏｃｋｅｔ  Ｌａｙｅｒ）、ＴＬＳ（Ｔｒａｎｓｐｏｒｔ  Ｌａｙｅｒ  Ｓｅｃｕｒｉｔｙ）、ＡＥＳ（Ａｄｖａｎｃｅｄ  Ｅｎｃｒｙｐｔｉｏｎ  Ｓｔａｎｄａｒｄ）などで暗号化して通信を行う。【００２３】又、正規のＷｅｂサイトを装ったフィッシングによるなりすましが横行しているが、前記移動体通信端末機および前記オーダリング端末機と管理者サーバ間のアプリケーションにおけるＷｅｂサイトなりすまし対策は、正規ユーザが偽装Ｗｅｂサイトに勧誘され、クレジット番号、パスワードなど個人情報を盗聴されないように、前記移動体通信端末機で設定された偽装サイトのＵＲＬへの送信を防止する方法が一般的であるが、ＲＦＩＤタグ間通信を基にしたユニークで一回限りの画面（ホームページ）なのでＷｅｂサイトのなりすまし、フィッシング対策に対し安心安全で決済可能な前記オーダリング端末機を提供できる。
【発明の効果】
【００２４】オーダリング端末機と移動体通信端末機は、ＲＦＩＤリーダライタあるいはＲＦＩＤタグを内蔵し、双方のＲＦＩＤ通信を基にしたユニークな画面（ホームページなど）を提供すると共に、利用客が登録している場合、簡単にクレジットカード決済がおこなえる安全に生成されたＯＴＰを所定画面へ入力するだけのワンクリック決済を実現する。【００２５】オーダリング端末機は、商品データを表示する表示部と、前記表示部に表示する商品注文キーと、商品をクレジットカードおよびデビッドカード等を利用してネットワークを介して決済できるクレジット決済選択キーと、商品を電子マネーで決済できる電子マネー決済選択キーと、決済種別に応じて、利用客が、タッチパネルを操作して動作する決済利便性に優れたワンクリック決済機能付オーダリング端末機を提供する。
【発明を実施するための最良の形態】
【実施例１】
【００２６】図−１において、クレジット決済キーを操作すると前記ＲＦＩＤリーダライタもしくは前記ＲＦＩＤタグが、クレジット決済モードへ切り替えると、
タッチ画面表示１０１は、前記オーダリング端末機が、ＲＦＩＤリーダライタもしくはＲＦＩＤタグを搭載した移動体通信端末機との通信を要求する画面表示する。【００２７】前記オーダリング端末機のＲＦＩＤリーダライタあるいはＲＦＩＤタグと前記移動体通信端末機のＲＦＩＤタグ間においてＲＦＩＤ通信をおこない、前記オーダリング端末機が、前記移動体通信端末機のＵＩＤ（Ｕｓｅｒ  Ｉｄｅｎｔｉｆｉｅｒ）および前記オーダリング端末機のＩＤと、時間と、通信回数と、位置情報（デジタル機器用の近距離無線通信を利用しての位置情報検出）などの使用された時のデータと、前記オーダリング端末機と前期移動体通信端末機のＲＦＩＤリーダライタもしくはＲＦＩＤタグのＩＤの取得をして、前記移動体通信端末機へＲＦＩＤ通信で暗号化データを送信する。又、前記生成データをＳＳＬ、ＴＬＳ、ＡＥＳなどで暗号化して管理者サーバへの送信をする。【００２８】前記移動体通信端末機は、暗号化されたデータを受信しブラウザ１０２もしくはアプリケーションの起動後、管理者サーバへＳＳＬ、ＴＬＳ、ＡＥＳなどで暗号化して、取得データを基に送信する。
管理者サーバが、受信データを所定の鍵を利用してデータ復号化１０３、前記移動体通信端末機の登録の有無の判断１０４をおこない、登録１０６の確認により、ＯＴＰの入力要求画面１０７を生成して前記移動体通信端末機へＳＳＬ、ＴＬＳ、ＡＥＳなどで暗号化されたユニーク画面のデータを送信する。【００２９】前記移動体通信端末機の利用客登録がない場合は、登録要求画面を前記移動体通信端末機へＳＳＬ、ＴＬＳ、ＡＥＳなどで暗号化されたユニーク画面を送信する。【００３０】登録画面１０５へ利用するクレジットカード等の必要データ、個人データ、ログインパスワード、又、ＰＩＮコードを入力後、管理者サーバへＳＳＬ、ＴＬＳ、ＡＥＳなどで暗号化して登録１０６送信する。管理者サーバが、前記登録画面に入力したデータを復号化して記憶する。【００３１】前記移動体通信端末機の登録がある場合は、クレジットカード決済に必要なＯＴＰ生成要求のログインパスワード入力画面１０８を前記移動体通信端末機へＳＳＬ（Ｓｅｃｕｒｅ  Ｓｏｃｋｅｔ  Ｌａｙｅｒ）、ＴＬＳ（Ｔｒａｎｓｐｏｒｔ  Ｌａｙｅｒ  Ｓｅｃｕｒｉｔｙ）、ＡＥＳなどで暗号化して送信する。管理者サーバからのログインパスワード入力要求に基づき、前記移動体通信端末機に利用客がログインパスワード入力をおこない、管理者サーバへＳＳＬ、ＴＬＳ、ＡＥＳなどで暗号化して送信をおこなう。【００３２】管理者サーバが、ログインパスワード認証１０９すると、ログインパスワードの認証後、ＯＴＰの生成１１０をおこない、前記ＯＴＰを前記移動体通信端末機へ送信をおこなう、前記オーダリング端末機のＯＴＰの入力要求画面１１２へ前記移動体通信端末機に送信されたＯＴＰの入力をおこない、管理者サーバへ送信する。【００３３】前記管理者サーバは、ＯＴＰの認証１１３をおこなう、認証が取れていれば決済サーバへ前記移動体通信端末機の利用客の与信要求１１４と、前記決済サーバは与信審査１１５をおこないクレジットカード利用審査結果を管理者サーバへ送信する。【００３４】審査結果に基づき決済サーバへ決済処理要求１１６をおこない、前記決済サーバが、審査結果に基づき決済処理１１７をおこない決済完了通知１１８を管理者サーバへ送信する、決済完了通知１１８を受取った前記管理者サーバは、前記オーダリング端末機へ結果を送信して一連のクレジットカード決済を特徴とする決済種別に応じて動作するＲＦＩＤリーダライタあるいはＲＦＩＤタグを内蔵した前記オーダリング端末機の実施例である。
【実施例２】
【００３５】図−２においては、ＯＴＰを前記移動体通信端末機のＵＩＭ（Ｕｓｅｒ  Ｉｄｅｎｔｉｔｙ  Ｍｏｄｕｌｅ）カードを利用して生成をおこない、クレジットカード決済をおこなう実施例を示す。【００３６】前記オーダリング端末機を利用して商品購入をおこない購入金額確認後、支払い方法選択をおこない、タッチパネルのクレジット決済選択キーを操作すると前記ＲＦＩＤリーダライタもしくは前記ＲＦＩＤタグが、クレジット決済モードへと切り替わり、前記オーダリング端末機が、前記移動体通信端末機と通信を要求する画面表示２０１と、前記オーダリング端末機が、前記移動体通信端末機にＲＦＩＤリーダライタあるいはＲＦＩＤタグを構成要素に持つＵＩＭが内蔵されているか否かの判断をおこなう。【００３７】前記判断の結果、前記オーダリング端末機のＲＦＩＤリーダライタもしくはＲＦＩＤタグと前記移動体通信端末機のＵＩＭを基にするＲＦＩＤリーダライタあるいはＲＦＩＤタグがＲＦＩＤ間通信の手段と、
前記オーダリング端末機が、前記移動体通信端末機のＵＩＭのＩＤと、時間と、通信回数と、位置情報などの使用された時のデータを取得する手段と、
取得したデータをＲＦＩＤ通信で前記移動体通信端末機が取得すると共に、管理者サーバへＳＳＬ（Ｓｅｃｕｒｅ  Ｓｏｃｋｅｔ  Ｌａｙｅｒ）、ＴＬＳ（Ｔｒａｎｓｐｏｒｔ  Ｌａｙｅｒ  Ｓｅｃｕｒｉｔｙ）、ＡＥＳ（Ａｄｖａｎｃｅｄ  Ｅｎｃｒｙｐｔｉｏｎ  Ｓｔａｎｄａｒｄ）などで暗号化して管理者サーバへの送信をおこなう。【００３８】前記移動体通信端末機は、データを取得２０２し、ＵＩＭを利用するアプリケーションを起動後２０３、管理者サーバへ取得データを基にＳＳＬ、ＴＬＳ、ＡＥＳなどで暗号化して送信する、管理者サーバが、受信データを所定の鍵を利用して暗号データを復号化、前記移動体通信端末機の登録有無の判断をおこない、管理者サーバが、ＯＴＰの入力要求２０４をおこない、ＰＩＮ入力画面２０５を前記移動体通信端末機に表示する。【００３９】前記移動体通信端末機の利用客登録がない場合は、ＵＩＭ（Ｕｓｅｒ  Ｉｄｅｎｔｉｔｙ  Ｍｏｄｕｌｅ）カードを利用するアプリケーションが、登録要求画面を表示する、
前記登録画面へ利用するクレジットカード等の必要データ、個人データ、ＰＩＮコードを入力後、管理者サーバへＳＳＬ、ＴＬＳ、ＡＥＳなどで暗号化して送信をおこない、管理者サーバが、クレジットカード等の必要データ、個人データなどの前記登録画面に入力されたデータを復号化して、記憶する。【００４０】登録がある場合は、前記登録のＰＩＮコード入力画面２０５が前記移動体通信端末機に表示をおこない、前記移動体通信端末機へＰＩＮコードの入力後、ＵＩＭ（Ｕｓｅｒ  Ｉｄｅｎｔｉｔｙ  Ｍｏｄｕｌｅ）カードでＯＴＰが生成２０６される、前記移動体通信端末機の表示部へ前記ＯＴＰを表示２０７される、
前記オーダリング端末機のＯＴＰの入力要求画面２０８へ前記ＯＴＰを入力し管理者サーバへ送信がされる。【００４１】管理者サーバは受信したＯＴＰの認証２０９後、前記移動体通信端末機の利用客の与信要求２１０を決済サーバへ送信すると、前記決済サーバは、与信審査２１１をおこないクレジットカード利用審査結果を前記管理者サーバへ送信をおこなう。【００４２】審査結果２１１に基づき決済サーバへの決済処理の要求２１２をおこない、前記決済サーバが、審査結果に基づき決済処理をおこない決済完了通知を前記管理者サーバへ送信する、決済完了通知２１４を受取った前記管理者サーバは、前記オーダリング端末機へ結果を送信する、
前記オーダリング端末機および前記移動体通信端末機の各々のＩＤおよびＵＩＤ（Ｕｓｅｒ  Ｉｄｅｎｔｉｆｉｅｒ）を基にＯＴＰを前記移動体通信端末機のＵＩＭ（Ｕｓｅｒ  Ｉｄｅｎｔｉｔｙ  Ｍｏｄｕｌｅ）カードで生成して、決済認証に用いるクレジットカード決済の決済種別に応じて動作するＲＦＩＤリーダライタあるいはＲＦＩＤタグを内蔵した前記オーダリング端末機の実施例である。
【実施例３】
【００４３】図−３において、前記オーダリング端末機を利用して商品購入をおこない購入金額確認後、支払い方法としてＲＦＩＤタグ内蔵の電子マネーカードおよびＲＦＩＤタグ内蔵のポイントカードでの決済選択手段をおこなった場合の実施例である。
電子マネー決済キーをタッチパネルで操作すると前記ＲＦＩＤリーダライタが、電子マネー決済モードへ切り替わり、前記オーダリング端末機が、電子マネーを持っているＲＦＩＤリーダライタもしくはＲＦＩＤタグ内蔵の移動体通信端末機、又、ＲＦＩＤタグ内蔵の電子マネーカード等との通信を要求する画面３０１を表示する。【００４４】前記移動体通信端末機、又は前記電子マネーカード等と、前記オーダリング端末機がＲＦＩＤ通信３０２をおこない、電子マネーの残高３０３を前記オーダリング端末機の表示部へ表示する、前記オーダリング端末機は、商品購入金額引き落とし要求３０４と、電子マネー管理者サーバへ引き落とし要求３０４を送信する。【００４５】電子マネー管理者サーバは、引き落とし処理結果３０５を前記オーダリング端末機へ送信すると、前記オーダリング端末機は、引き落とし処理完了を表示部３０６に表示し、電子マネー決済が完了する決済種別に応じて動作するＲＦＩＤリーダライタあるいはＲＦＩＤタグ内蔵の前記オーダリング端末機の実施例である。
【実施例４】
【００４６】図−４、図−５、図−６、図−７において、さらに、具体的な実施例を示す、構成のオーダリング端末機４００は、表示部４０１、演算部４０２、記録部４０３、ネットワーク接続部４０４、ＲＦＩＤリーダライタ４０５、モード切替部４０６、暗号の暗号化処理部４０７、電子マネー決済部４０８の機能で構成される。【００４７】オーダリング端末機４００をより具体的に説明すると、商品や広告を表示す表示部４０１は、表示機能のみの場合と、指でタッチすることで入力する機能を構成する表示機能の場合がある。【００４８】表示部４０１の表示機能は、液晶、ＥＬ、電子ペーパ等の電子的に書き換え可能な表示機能を構成し、タッチ入力機能は、タッチパネル、タッチスイッチ等によるタッチ入力インターフェースの機能で構成される。【００４９】ＲＦＩＤリーダライタ４０５は、ＲＦＩＤを有する携帯電話やスマートフォン等の移動体通信端末機へ、ブラウザ起動命令とブラウザへ渡すデータ（例えばＵＲＬ）を、暗号の暗号化処理部４０７によって暗号化を行って非接触無線通信によって送受信する機能と、アプリケーションの起動命令とアプリケーションに渡すデータを非接触無線通信によって送受信する機能と、かざされたＲＦＩＤリーダライタあるいはＲＦＩＤタグのＩＤを非接触無線通信によって読み書きする機能と、非接触無線通信によって電子マネーの決済とチャージする機能を構成する。【００５０】ＲＦＩＤリーダライタ４０５は、モード切替部４０６によって、非接触無線通信による電子マネーの決済又はチャージのための通信モードと、かざされたＲＦＩＤリーダライタあるいはＲＦＩＤタグのデータの送受信通信モードを切り替える機能を構成する。【００５１】表示部に表示するための制御、通信、タッチ制御、ＲＦＩＤリーダライタ等の制御は演算部４０３によって行われ、プログラムとデータは記録部４０４に記録する機能を構成する。【００５２】ネットワーク接続部４０４は、管理サーバとのネットワーク通信を行う機能を構成する。【００５３】電子マネー決済処理部４０８は、電子マネー決済又はチャージを行う通信モードの時、電子マネーの決済又はチャージを行う機能を構成する。【００５４】管理サーバ５００は、ＷＥＢサーバ５０１、演算部５０２、記録部５０３、ネットワーク接続部５０４、ログイン認証部５０５、ＯＴＰ生成部５０６、ＯＴＰ認証部５０７、暗号の復号化処理部５０８の機能を構成する。【００５５】ＷＥＢサーバ５０１は、オーダリング端末機４００とネットワーク通信を行い、データの送受信を行う機能を構成する。【００５６】演算部５０２は、記録、ＷＥＢサーバの制御、ログイン認証処理、ＯＴＰ生成、ＯＴＰ認証、暗号の復号化処理のために演算する機能を構成する。【００５７】記録部は、データ、プログラムを記録、保管する機能を構成する。【００５８】ネットワーク接続部５０４は、オーダリング端末機や移動体通信端末機とのネットワーク通信を行う機能を構成する。【００５９】ログイン認証部５０５は、移動体通信端末機のＩＤによる認証と移動体通信端末機の所有者が入力するパスワードによる認証を行う機能を構成する。【００６０】ＯＴＰ生成部５０６は、ＯＴＰを生成する機能を構成する。【００６１】生成されたＯＴＰは、移動体通信端末機に送られ、移動体通信端末機の所有者は、このＯＴＰをオーダリング端末機４００に入力し、オーダリング端末機４００はネットワーク通信によって管理サーバ５００へ伝送される。【００６２】ＯＴＰ認証部５０７は、オーダリング端末機か４００ら伝送されたＯＴＰの認証する機能を構成する。【００６３】ＯＴＰは管理サーバ５００で生成せず、移動体通信端末機Ｂ  ７００で生成し、管理サーバ５００のＯＴＰ認証部５０７で認証する機能を構成する。【００６４】暗号の復号化処理部５０８は、移動体通信端末機から送られた暗号化データを復号化する機能を構成する。【００６５】移動体通信端末機Ａ  ６００は、管理サーバでＯＴＰを生成する場合に、ブラウザもしくはアプリケーション６０５によって認証処理を行う。【００６６】ＲＦＩＤリーダライタあるいはＲＦＩＤタグ６０１は、オーダリング端末機４００と非接触無線通信によってデータの送受信を行う機能を構成する。【００６７】演算部６０２は、移動体通信端末の各種制御を行う機能を構成する。【００６８】記録部６０３は、データ、ブラウザ、アプリケーション、その他プログラムを記録、保管する機能を構成する。【００６９】ネットワーク接続部６０４は、移動体通信端末機のネットワーク通信を行う機能を構成する。【００７０】移動体通信端末機Ｂ  ７００は、ＯＴＰ（ＯＴＰ：  Ｏｎｅ  Ｔｉｍｅ  Ｐａｓｓｗｏｒｄ）をＵＩＭ（Ｕｓｅｒ  Ｉｄｅｎｔｉｔｙ  Ｍｏｄｕｌｅ）カード  ７０６内にあるＯＴＰ生成部７０７によって生成し、管理サーバ５００のＯＴＰ認証部５０７によって認証を行う。【００７１】ＲＦＩＤリーダライタあるいはＲＦＩＤタグ７０１は、オーダリング端末機４００と非接触無線通信によってデータの送受信を行う機能を構成する。【００７２】演算部７０２は、移動体通信端末の各種制御を行う機能を構成する。【００７３】記録部７０３は、データ、アプリケーション、その他プログラムを記録、保管する機能を構成する。【００７４】ネットワーク接続部７０４は、移動体通信端末機のネットワーク通信を行う機能を構成する。【００７５】ＵＩＭカード  ７０６は、内部でＯＴＰを生成するＯＴＰ生成部７０７と、ＰＩＮコード認証を行うためのＰＩＮコード記録部７０８を構成する。【００７６】移動体通信端末機の所有者が、起動したアプリケーション７０５で、ＰＩＮコードを入力すると、ＵＩＭカード  ７０６内のＰＩＮコード記録部７０８によって認証され、ＯＴＰ生成部７０７によってＯＴＰが生成され、アプリケーションの画面にＯＴＰが表示される。
【産業上の利用可能性】
【００７７】以上のように本発明の前記オーダリング端末機を利用することにより飲食店等は、請求書の発行と集金の手間が省略され、それに掛かる人件費の削減にもつながる、又、利用客は一々係員を呼んで注文をする手間と、例えば、わざわざレジまで出向いてクレジットカードおよび電子マネーカードを持参しての決済を省略する手段に適用できる。
【図面の簡単な説明】
【００７８】
【図−１】クレジットカード決済概要ワークフロー１の例図である。
【図−２】クレジットカード決済概要ワークフロー２の例図である。
【図−３】電子マネーカード決済概要ワークフロー１の例図である。
【図−４】本発明のオーダリング端末機の概要構成図である。
【図−５】本発明の管理サーバの概要構成図である。
【図−６】実施形態の移動体通信端末機Ａの概要構成図である。
【図−７】実施形態の移動体通信端末機Ｂの概要構成図である。
【図−８】実施形態のクレジットカード決済における画面遷移例図である。
【図−９】実施形態の電子マネー決済における画面遷移例図である。
【符号の説明】
【００７９】図−１の１００は決済方法選択画面、１０１は移動体通信端末機のタッチ要求画面、１０２は移動体通信端末機のブラウザ起動画面、１０３は管理者サーバの移動体通信端末機の利用客からのデータ受信、１０４は登録履歴有無判断、１０５は１０４の登録履歴有無判断で無判断の場合に移動体通信端末機側へ表示される登録画面、１０６は個人情報データ入力、１０６−１は管理者サーバでの登録、１０７はＯＴＰを生成するためのログインパスワード入力画面、１０８はログインパスワード入力、１０９は管理者サーバ側で前記登録有無をおこないログインパスワード認証、
１１０は管理者サーバ側で、ＯＴＰを生成、１１１は生成したＯＴＰを表示移動体通信端末機へ送信、１１２はオーダリング端末機のＯＴＰ入力画面へ、ＯＴＰを入力、１１３は管理者サーバ側で生成したか否かを認証、１１４は認証に基づきクレジットカード決済の与信要求、１１５はクレジットカード管理者サーバの与信確認、１１６は前記与信確認で審査パスであれば管理者サーバより決済処理要求、１１７はクレジットカード管理者サーバが決済、１１８は決済完了通知を、管理者サーバを介してオーダリング端末機へ通知。【００８０】図−２の２００は決済方法選択画面、２０１は移動体通信端末機のタッチ要求画面、２０２は移動体通信端末機のデータ取得、２０３はＵＩＭ（Ｕｓｅｒ  Ｉｄｅｎｔｉｔｙ  Ｍｏｄｕｌｅ）カード利用アプリケーション起動画面、２０４はＯＴＰを生成するためのＰＩＮコード入力要求、２０５は移動体通信端末機のＰＩＮコード入力要求画面、２０６は移動体通信端末機内蔵のＵＩＭ（Ｕｓｅｒ  Ｉｄｅｎｔｉｔｙ  Ｍｏｄｕｌｅ）カードでのＯＴＰ生成、２０７は移動体通信端末機の表示部へＯＴＰを表示、２０８はオーダリング端末機へＯＴＰを入力、２０９は管理者サーバでＯＴＰ認証、認証結果に基づく２１０の決済与信要求、２１１はクレジットカード管理者サーバでの与信審査、２１２は与信審査に基づき管理者サーバからクレジットカード決済要求、２１３はクレジットカード決済、決済完了通知を２１４を介して２１５へ通知、２１６は利用客の決済完了確認。【００８１】図−３の３００は決済方法選択画面、３０１は移動体通信端末機のタッチ要求画面、３０２は電子マネーカードのオーダリング端末機へタッチ、３０３は残高確認、３０４は決済金額引き落とし要求、３０５は電子マネー決済サーバで引き落とし処理、処理結果を３０６へ返信、３０７は利用客の決済完了確認。【００８２】図−４の４００はオーダリング端末機、４０１は表示又はタッチ入力部、４０２は演算部、４０３は記録部、４０４はネットワーク接続部、４０５はＲＦＩＤリーダライタ又はＲＦＩＤタグ、４０６はＲＦＩＤリーダライタ又はＲＦＩＤタグのモード切替部、４０７は暗号の暗号化処理部、４０８は電子マネー決済処理部。【００８３】図−５の５００は管理サーバ、５０１はＷＥＢサーバ部、５０２は演算部、５０３は記録部、５０４はネットワーク接続部、５０５はログイン認証部、５０６はＯＴＰ生成部、５０７はＯＴＰ認証部、５０８は暗号の複合化処理部。【００８４】図−６の６００は移動体通信端末機Ａ、６０１はＲＦＩＤリーダライタ又はＲＦＩＤタグ、６０２は演算部、６０３は記録部、６０４はネットワーク接続部、６０５はブラウザ又はアプリケーション。【００８５】図−７の７００は移動体通信端末機Ｂ、７０１はＲＦＩＤリーダライタ又はＲＦＩＤタグ、７０２は演算部、７０３は記録部、７０４はネットワーク接続部、７０５はアプリケーション、７０６はＵＩＭ、７０７はＵＩＭ（Ｕｓｅｒ  Ｉｄｅｎｔｉｔｙ  Ｍｏｄｕｌｅ）カードのＯＴＰ生成部、７０８はＵＩＭカード内のＰＩＮコード記録部。【００８６】図−８の８００はオーダリング端末機トップ広告画面、８０１は料理メニューからの選択画面、８０２は選択メニュー一覧と金額表示画面、８０３は選択メニュー一覧確認と金額確認表示画面、８０４は決済方法決済画面および移動体通信端末機タッチ要求画面、８０４−１から８０４−３まで所定の確認画面、８０４−４ＯＴＰ要求画面、８０５は移動体通信端末機のＵＲＬ取得画面、８０６は事前登録のない利用客が登録画面、８０７認証画面、８０８は管理者サーバからのログインパスワード取得画面、８０９はＯＴＰ生成画面、８０４−４のＯＴＰ入力要求画面へ８０９の生成ＯＴＰを入力、８１３は決済最終段階を示す画面、８１４は決済完了画面をオーダリング端末機の表示部へ表示。【００８７】８１０は事前登録者のログインパスワード入力画面、８１１は認証画面、８１２は生成ＯＴＰ表示画面、８０４−４のＯＴＰ入力要求画面へ８１２の生成ＯＴＰを入力、８１３、８１４で決済完了画面をオーダリング端末機の表示部へ表示して完了。【００８８】図−９の９００はオーダリング端末機トップ広告画面、９０１は料理メニューからの選択画面、９０２は選択メニュー一覧と金額表示画面、９０３は選択メニュー一覧確認と金額確認表示画面、９０４は電子マネーカードの選択画面、９０５は選択された電子マネーカード表示とタッチ画面、９０６は電子マネーによる決済完了画面表示。
【図−１】
2012048694.tif 000003
【図−２】
2012048694.tif 000004
【図−３】
2012048694.tif 000005
【図−４】
2012048694.tif 000006
【図−５】
2012048694.tif 000007
【図−６】
2012048694.tif 000008
【図−７】
2012048694.tif 000009
【図−８】
2012048694.tif 000010
【図−９】
2012048694.tif 000011